Podtech/llm-jp-corpus-v4-ja_patent huggingface dataset:
(57)【要約】【課題】　本発明は石けんにて代表される洗剤の泡立て用具に関するもので、特に言えば洗顔料の泡立て用具に係るものである。【解決手段】　フォームセル数が１０〜２５個／インチであり、フォームセル膜を除去した三次元骨格構造をなす軟質ポリウレタンフォ−ムよりなり、かつほぼ手のひら内に納まる大きさの立体であり、当該立体に洗剤原液を充填するための有底の窪みを形成したことを特徴とする泡立て用具。１０‥泡立て用具、１１‥窪み。【選択図】図１
2004033794.tif 000002
【特許請求の範囲】
【請求項１】
　フォームセル数が１０〜２５個／インチであり、フォームセル膜を除去した三次元骨格構造をなす軟質ポリウレタンフォ−ムよりなり、かつほぼ手のひら内に納まる大きさの立体であることを特徴とする泡立て用具。
【請求項２】
　軟質ウレタンフォ−ムの表面に洗剤原液を充填するための窪みを形成した請求項１記載の泡立て用具。
【請求項３】
　窪みは有底又は貫通孔である請求項２記載の泡立て用具。
【請求項４】
　窪みにて洗剤原液を計量可能とした請求項２記載の泡立て用具。
【請求項５】
　軟質ウレタンフォ−ムの表面に洗剤原液を充填するためのスリットを形成した請求項１記載の泡立て用具。
【請求項６】
　フォームセル数が１０〜２５個／インチであり、フォームセル膜を除去した三次元骨格構造をなす軟質ポリウレタンフォ−ムよりなり、かつほぼ手のひら内に納まる大きさの立体であり、更に、圧縮することによって洗顔料容器の蓋内に納めてなることを特徴とする泡立て用具。
　
　
　
【発明の詳細な説明】
【技術分野】
【０００１】
　本発明は石けんにて代表される洗剤の泡立て用具に関するもので、特に言えば洗顔料の泡立て用具に係るものである。
【背景技術】
【０００２】
　近年、ボディソ−プやシャンプ−のみならず洗顔料が商品化されている。かかる洗剤類にあって、泡立ちの良さが要求されており、ボディソ−プにあっては手ぬぐいやスポンジ等の身体洗具につけて身体を擦って泡立たせることがなされてはいるが、主として洗顔に用いられる洗顔料の用い方は、単に手のひら内に洗顔原液を適量とり、手のひら内にて泡立て、これを顔に付けることとなるため、充分な泡立ちの前に洗顔したり、泡立てている間に場合によっては洗顔原料が流下してしまうことともなる。
【０００３】
　このように、洗顔時の洗顔原液は手のひら内にて充分に泡立ちさせることが必要であるところ、今までには平易な泡立て用具は開発されておらず、ここに実用的な泡立て用具の提供が望まれていた。
【発明の開示】
【発明が解決しようとする課題】
【０００４】
　本発明は上記した課題を解決しようとするものであり、主として洗顔時の洗顔原液の簡便な泡立て用具を提供するものである。
【課題を解決するための手段】
【０００５】
　本発明の第１の要旨は、フォームセル数が１０〜２５個／インチであり、フォームセル膜を除去した三次元骨格構造をなす軟質ポリウレタンフォ−ムよりなり、かつほぼ手のひら内に納まる大きさの立体であることを特徴とする泡立て用具であり、軟質ウレタンフォ−ムの表面に洗剤原液を充填するための窪みやスリットを形成したものである。
【０００６】
　本発明の第２の要旨は、フォームセル数が１０〜２５個／インチであり、フォームセル膜を除去した三次元骨格構造をなす軟質ポリウレタンフォ−ムよりなり、かつほぼ手のひら内に納まる大きさの立体であり、更に、圧縮することによって洗顔料容器の蓋内に納めてなることを特徴とする泡立て用具である。
【発明の効果】
【０００７】
　本発明は以上の通りであり、ほぼ手のひら内にて洗顔料速やかにかつ完全に泡立てることが可能となったものである。
【発明を実施するための最良の形態】
【０００８】
　本発明の最大の特徴は、手のひら内に納まる軟質ポリウレタンフォ−ムである泡立て用具であって、このため、特に洗顔際にあっては必要量だけ洗顔原液を容器等から取り出し、これを泡立て用具に移し、これを両方の手のひらにて軽くもむことによって洗顔原液が即座にかつ充分に泡立つこととなるものであり、充分泡立った状態で洗顔できることとなった。
【０００９】
　本発明にあって、軟質多孔体がポリウレタンフォ−ムは、フォームセル膜が除去された三次元骨格構造をなすものである。そして、フォ−ムセル数が６〜５０個／インチ、好ましくは、１０〜２５個／インチで、フォームセル数が多過ぎる場合には泡の切れが悪くなり、フォームセルが少な過ぎれば、洗顔原液が流下し易くなってしまう。
【００１０】
　尚、前記軟質多孔体に洗剤原液を充填するための有底又は貫通孔である窪みを形成するのが一般的であり、この窪みにて洗剤原液を計量することもできる。尚、窪みの代わりにスリットでもよい。
【００１１】
　そして、第２発明の特徴としては、上記の特徴の他に圧縮することによって洗顔料容器の蓋の内側に納められる点に特徴があり、これによって販売時のメッリトがもたらされることになる。
【実施例】
【００１２】
　以下、本発明の泡立て用具の好適例をもって更に詳細に説明する。
　図１は本発明の第１の泡立て用具１０を示す正面図、上面図及びＡーＡ線での断面図である。この泡立て用具１０は、軟質ポリウレタンフォ−ムのフォ−ムセル膜を公知の処理手段によって除去してなる三次元骨格構造を有する多孔体であって、フォ−ムセル膜の数は１３個／インチである。
【００１３】
　そして、泡立て用具１０はほぼ球形をなしており、その直径は５ｃｍで、手のひら内にほぼ納まる形状をなしている。そして、この球形に対し直径１ｃｍ、深さ１ｃｍの窪み１１を形成したものであり、この窪み１１内に洗顔原液を充填し、この泡立て用具１０全体を手のひら内に納めた状態でもみ、これによって完全に泡立てすることになる。かかる窪み１１は洗剤原液を充填する部位であり、更に好ましくは洗剤原液の計量にも供せられるものである。
【００１４】
　このように、本発明の泡立て用具１０は手のひらサイズとされ、これを両手のひらでもむことによって簡単に洗剤原液が泡立つこととなり、しかも三次元骨格構造となっているため泡立った洗剤が容易に抜け出ることができるため、洗顔等の後にこれを洗うことにより泡立ちを容易に流し去り、再度の使用に供せられることとなる。
【００１５】
　図２は本発明の第２における状態図であり、軟質ポリウレタンフォ−ム１０が手のひらサイズとされ、かつ、これが圧縮されることによって販売時に洗顔料容器の蓋２０の内側に納められるようにしたものである。
【産業上の利用可能性】
【００１６】
　本発明は以上の通りであり、泡立ち用具は洗顔料に使用するだけでなく、他の洗剤にも利用できることは当然であり、その利用価値は極めて大きい。
【図面の簡単な説明】
【００１７】
【図１】図１は本発明の第１の泡立て用具を示す図である。
【図２】図２は本発明の第２の泡立て用具を示す図である。
【符号の説明】
【００１８】
　１０‥泡立て用具、
　１１‥窪み。
　２０‥蓋。
　
　
【図１】
2004033794.tif 000003
【図２】
2004033794.tif 000004
(57)【要約】【課題】胡麻を主成分とするジャム状の健康食品を製造、販売するのに際して、健康を増進させる食材を用いて甘味を保持し、かつ、ジャム状の形態が安定的に維持されるものが望ましく、さらにセサミンの含有率を増大させたものが望ましい。【解決手段】蜂蜜の代わりに主たる甘味料として、羅漢果エキスを使用する。またセサミンの含有率を増大させるために、胡麻を加熱し磨り潰して半液化状とした胡麻に、練り胡麻を加え、甘味料としてオリゴ糖と液状羅漢果エキスを加えた健康食品である。そしてその原料の混合割合を、重量比で１０〜６０％の胡麻を加熱し磨り潰して半液化状とした胡麻と１０〜６０％の練り胡麻を適宜合わせ、全体量で７０〜８０％とした合わせ胡麻に１０〜１５％のオリゴ糖と、５〜１０％の液状羅漢果エキスとを混ぜ合わせた胡麻を主原料とする健康食品。【特許請求の範囲】
【請求項１】
加熱し磨り潰して半液化状とした胡麻に練り胡麻を加え、甘味料としてオリゴ糖と液状羅漢果エキスを加えた胡麻を主原料とする健康食品。
【請求項２】
重量比で、１０〜６０％の胡麻を加熱し磨り潰して半液化状とした胡麻と１０〜６０％の練り胡麻を適宜合わせ、全体量で７０〜８０％とした合わせ胡麻に１０〜１５％のオリゴ糖と、５〜１０％の液状羅漢果エキスとを混ぜ合わせた胡麻を主原料とする健康食品。
【請求項３】
重量比で１０〜６０％の胡麻を少し焦げ目が出る程度に熱し、熱した胡麻を擂り潰し機器で半液化状態になるまで擂り潰す第１工程と、１０〜６０％の練り胡麻を摂氏約６０度〜９０度位の温度で約３０秒〜１分間程熱する第２工程と、前記第１工程と第２工程との胡麻とを適宜な量混ぜ合わせて全体量で７０〜８０％の合わせ胡麻とする第３工程と、この合わせ胡麻に１０〜１５％ほどのオリゴ糖および５〜１０％ほどの液状羅漢果エキスを入れ常温にて混合攪拌する第４工程の手順で行うことを特徴とする胡麻を主原料とする健康食品の製法。
【発明の詳細な説明】
【０００１】
【発明の属する技術分野】
本発明は、胡麻、オリゴ糖、及び羅漢果のそれぞれの持つ食効を有効利用した健康食品及びその製造方法である。
【０００２】
【従来の技術】
従来より、胡麻を主成分としたペ−スト状及び流動食状の食品は存在するが、その甘味料としては殆どの場合、粘膜の抗炎症作用が有り豊富な鉄分やカルシウム等のミネラルを含む蜂蜜が用いられている。
【０００３】
胡麻の食効の中心となる成分のセサミンの胡麻における含有率は０．５％である。また蜂蜜の葡萄糖の含有率は３０〜６０％であり、食後血糖値の上昇率も他の食品の中では比較的高い。
【０００４】
胡麻と蜂蜜を混合攪拌した場合、目の細かい練り胡麻を使用したとしても攪拌を進める内に時間の経過と共に次第に凝固化してきてやがては常温におけるバタ−やマ−ガリン状となるため、使用方法やマ−ケットの範囲が限られてくる。
【０００５】
胡麻と蜂蜜を混合した場合の凝固化を防止するために、甘味に乏しく低カロリーで整腸作用の認められているオリゴ糖が加えられることもあるが、完全に凝固化を防止出来るものではない。
【０００６】
【発明が解決しようとする課題】
上記の事情に鑑み、胡麻を主成分とするジャム状の健康食品を製造、販売するのに際して、健康を増進させる食材を用いて甘味を保持し、かつ、ジャム状の形態が安定的に維持されるものが望ましく、さらにセサミンの含有率を増大させたものが望ましい。
【０００７】
【課題を解決するための手段】
これ等の改善策として、蜂蜜の代わりに主たる甘味料として、甘味が強く糖分が体内に吸収されない性質を有し、鉄分やカルシウム等のミネラル分に富み、整腸作用を持ち、強力な抗酸化性を持つ羅漢果エキスを使用する。
【０００８】
また胡麻を熱することにより胡麻中のセサミンの含有率を従来の胡麻より約３〜５倍に増やす。そして嗜好性を高めるため練り胡麻と炒り胡麻を混合攪拌する。
【０００９】
すなわち胡麻を加熱し磨り潰して半液化状とした胡麻に、練り胡麻を加え、甘味料としてオリゴ糖と液状羅漢果エキスを加えた健康食品である。
【００１０】
【発明の実施の形態】
本発明の健康食品は、胡麻を加熱し磨り潰して半液化状とした胡麻に、練り胡麻を加え、甘味料としてオリゴ糖と液状羅漢果エキスを加えたものであることを特徴としている。
【００１１】
そしてその原料の混合割合は重量比で、１０〜６０％の胡麻を加熱し磨り潰して半液化状とした胡麻と１０〜６０％の練り胡麻を合わせ、全体量で７０〜８０％とした合わせ胡麻に１０〜１５％のオリゴ糖と、５〜１０％の液状羅漢果エキスとを混合したものである。
【００１２】
また、その製法は、まず食品全体重量の１０〜６０％の胡麻をフライパン状の鉄板若しくは陶器状の焼き物の容器、又は電子レンジに入れて少し焦げ目が出る位に熱し、そして熱した胡麻を熱い内に擂り鉢、若しくはミキサ−状の機器、あるいはミンチ製造機状の擂り潰し機器に入れ、半液化状態になるまで擂り潰す第１工程と、１０〜６０％の市販のきめの細かい練り胡麻を摂氏約６０度〜９０度位の温度で約３０秒〜１分間程熱する第２工程と、前記第１工程と第２工程との胡麻とを適宜な量混ぜ合わせて全体量で７０〜８０％の合わせ胡麻とする第３工程と、この合わせ胡麻に１０〜１５％ほどのオリゴ糖および５〜１０％ほどの液状羅漢果エキスを入れ常温にて混合攪拌する第４工程の手順で造り、そしてそのものを適当な大きさの容器に入れて冷暗所で保存する。
【００１３】
【発明の効果】
以上説明したように、本発明の食品は、胡麻の甘味料に羅漢果を使用したことにより流動食状態が保持され、また胡麻を加熱し磨り潰して半液化状としたものは、加熱することにより胡麻中のセサミンの含有率を従来の胡麻より約３〜５倍に増え、胡麻の粒々感が残って食感を良くするなど消費者に喜ばれる胡麻を主成分とする健康食品を提供する。
(57)【要約】【課題】国民の魚食の普及を促し、従来のタレの甘味を抑え、血糖値の上昇を緩和させ、体内活性酸素の発生を緩和させる食効を有する魚肉用の漬け込みタレを提供することを目的とする。【解決手段】活性酸素除去性を有する胡麻の含有比率を大幅に増大させ、また白砂糖に代えて甘味を抑え、かつ食後血糖値の上昇を緩和する食効を有する黒砂糖を使用し、さらに日本酒に代えて血糖値の上昇を控えめにする性質を持ち、活性酸素除去性を持つ焼酎を混合させた魚肉漬け込みタレを提供する。そしてこのタレは、重量比で５０〜７０％の胡麻、１０〜２０％の醤油、５〜１０％の黒砂糖、度数２０〜３０％の焼酎を５〜１０％、４％の味醂、５％の蜂蜜及び１％の粉山椒を混ぜ合わせたものである。【特許請求の範囲】
【請求項１】
魚肉を漬け込むタレの調味材料として胡麻、黒砂糖、焼酎を用いたことを特徴とする魚肉漬け用のタレ。
【請求項２】
魚肉付け用のタレが重量比で、５０〜７０％の胡麻、１０〜２０％の醤油、５〜１０％の黒砂糖、度数２０〜３０％の焼酎を５〜１０％、４％の味醂、５％の蜂蜜及び１％の粉山椒を混ぜ合わせたものであることを特徴とする魚肉漬け用のタレ。
【発明の詳細な説明】
【０００１】
【発明が属する技術分野】
本発明は、鮮魚肉を漬け込む調味材料を主として胡麻とする魚肉漬け用のタレに関するものである。
【０００２】
【従来の技術】
従来より、鮮魚肉を色々な調味料を含有するタレに漬け込み食材とすることが日本人に親しまれてきた。しかしながら、このタレは地方独自または個々の家庭の工夫によるものであって、商品化されたものは少なかった。
【０００３】
商品化に当たり、現代のニ−ズ及び将来にかけて予想される食品のニ−ズは甘さを抑えた味で、かつ生活習慣病を予防する健康食志向にマッチしたものが要求される。
【０００４】
他方、従来の上記タレで商品化されているものは、非常に高い栄養価を保持してはいるものの、その材料に多くの砂糖、日本酒を用い、甘味が強くカロリ−も高く生活習慣病予防食品とは言い難いものである。
【０００５】
【発明が解決しようとする課題】
上記の事情に鑑み、国民の魚食の普及を促し、従来のタレの甘味を抑え、血糖値の上昇を緩和させ、体内活性酸素の発生を緩和させる食効を有する魚肉用の漬け込みタレを提供するものである。
【０００６】
【課題を解決するための手段】
本発明の魚肉付け用のタレは、食品中最高レベルの活性酸素除去性を有する胡麻の含有比率を大幅に増大させ使用し、また白砂糖に代えて甘味を抑えかつ食後血糖値の上昇を緩和する食効を有する黒砂糖を使用し、さらに日本酒に代えて日本酒と比較して血糖値の上昇を控えめにする性質を持ち飲用アルコ−ル中最高の活性酸素除去性を持つ焼酎を使用したことを特徴とする。
【０００７】
すなわち本発明のタレは、魚肉の白身並びに赤身をタレに漬け込み食品とするものであって、このタレが、胡麻、醤油、蜂蜜、黒砂糖、焼酎、味醂、山椒等の調味材料を一定の割合で混合したものであることを特徴としている。
【０００８】
そして前記タレ材料の混合割合が、重量比で、５０〜７０％の胡麻、１０〜２０％の醤油、５〜１０％の黒砂糖、度数２０〜３０％の焼酎を５〜１０％、４％の味醂、５％の蜂蜜及び１％の粉山椒を混ぜ合わせたものであることを特徴としている。
【０００９】
【発明の実施の形態】
本発明の魚肉漬けこみ用のタレは、重量比で５０〜７０％の胡麻、１０〜２０％の醤油、５〜１０％の黒砂糖、度数２０〜３０％の焼酎を５〜１０％、４％の味醂、５％の蜂蜜及び１％の粉山椒を混ぜ合わせ魚肉漬けこみ用のタレを作るものである。尚、前記白胡麻には、黒胡麻を適当な量加えても良い。
【００１０】
そしてその製法は、タレ全体重量の半分程度の胡麻をフライパン状の鉄若しくは陶器状の焼き物、又は電子レンジに入れて少し焦げ目が出る位に熱する。
【００１１】
そして熱した胡麻を熱い内に擂り鉢、若しくはミキサ−状の機器、あるいはミンチ製造機状の擂り潰し機器に入れ、少し湿り気が見られるまで擂り潰す。
【００１２】
擂り潰した胡麻を容器に入れ、同容器に前述の量の醤油、黒砂糖、蜂蜜、味醂、焼酎、粉山椒を順に入れ、しゃもじ状のものでゆっくりと攪拌する。そしてそのタレを適当な大きさの容器に分け、冷暗所で保存する。
【００１３】
【発明の効果】
以上説明したように本発明のタレは、食品中最高レベルの活性酸素除去性を有する胡麻の含有比率を大幅に増大させており、また白砂糖に代えて甘味を抑えかつ食後血糖値の上昇を緩和する食効を有する黒砂糖を使用し、さらに日本酒に代えて日本酒と比較して血糖値の上昇を控えめにする性質を持ち飲用アルコ−ル中最高の活性酸素除去性を持つ焼酎を使用したので、甘さを抑え、生活習慣病を予防する成分を有しており、現代社会の食生活にマッチした食材を提供する。
(57)【要約】【課題】従来の魚介類採取装置の問題点である（１）獲物が袋状網の底面先端部に滞留し、短時間の内に袋状網の中に入りにくい、（２）爪で掘り起こすため魚介類を傷つけ易い、（３）海底地形に凹凸があると爪が着底しなくなって、海底に埋没しているほたて貝等を採取できなくなる、等の点の解決を図る。【解決手段】海底を曳引して魚介類を採取する装置１において、装置の前部には、海底面に海水の流れを衝突させて、海底面近傍に生息する魚介類を舞い上がらせる手段を有し、該装置の後部には魚介類を捕捉する袋状網５を設けたことを特徴とする。海底面に海水の流れを衝突させる手段は、装置の進行方向に海水を導入するための開口部８を有し、後方に前記開口部につながって導入した海水を海底方向に排出するための排出口１０を有するものである。【選択図】　　図１
2004033104.tif 000002
【特許請求の範囲】
【請求項１】
後部に袋状網を設けて、海底を曳引して魚介類を該袋状網に採取する装置において、装置の前部には、海底面に海水の流れを衝突させて、海底近傍に生息する魚介類を舞い上がらせる手段を有することを特徴とする魚介類採取装置。
【請求項２】
海底面に海水の流れを衝突させる手段は、装置の進行方向
に海水を導入するための開口部を有し、後方に、前記開口部につながって、導入した海水を海底方向に排出するための排出口を有するものである請求項１記載の魚介類採取装置。
【発明の詳細な説明】
【０００１】
【発明の属する技術分野】
本発明は、海底付近に生息するほたて貝などの魚介類を効率良く採取するための採取装置に関する。
【０００２】
【従来の技術】
従来のほたて貝等の魚介類採取装置の一例を図５に示す。図５において、１は魚介類採取装置で、丸棒２で構成された前部枠３に複数本の下向きの爪４を配置し、該前部枠３に袋状網５を連結して構成されている。袋状網５の底面の先端部には略Ｕ字状のチェーン６を配置している。更に袋状網５の後部には、重り棒７を配置している。
【０００３】
かかる従来の魚介類採取装置には、下記のような問題点がある。
（１）爪４で掘り起こされたほたて貝などは、袋状網５の底面の先端部の略Ｕ字状のチェーン６の全面に滞留し、短時間の内に袋状網５内に入りにくいことがある。
（２）爪４で掘り起こす為、特に貝殻が薄いものは破損することがある。
（３）海底地形に凹凸があると、爪４とチェーン６とがほとんど着底しなくなる場合があり、ほたて貝等が採取できないことがある。
【０００４】
【発明が解決しようとする課題】
本発明は、前述の従来技術が有する問題点（１）〜（３）のない魚介類採取装置を提供するものである。
【０００５】
【課題を解決するための手段】
即ち、本発明は下記の構成よりなる。
（１）後部に袋状網を設けて、海底を曳引して魚介類を該袋状網に採取する装置において、装置の前部には、海底面に海水の流れを衝突させて、海底近傍に生息する魚介類を舞い上がらせる手段を有することを特徴とする魚介類採取装置。
（２）海底面に海水の流れを衝突させる手段は、装置の進行方向に海水を導入するための開口部を有し、後方に、前記開口部につながって、導入した海水を海底方向に排出するための排出口を有するものである前記（１）記載の魚介類採取装置。
【０００６】
即ち、本発明では、従来装置の爪の代わりに海底面に海水の流れを衝突させ、海底面近傍に生息するほたて貝等の魚介類を舞い上がらせて、袋状網の開口部付近に滞留することなく、網の中に収容できるようにしたものである。なお、従来技術における爪を併用することももちろん可能である。
【０００７】
海水取り入れのための開口部の面積よりも、海水を排出するための排出口の面積を小さくし、かつ、排出口の方向を海底方向に向けることによって、海水の有効な噴射を行うことができ、魚介類の収穫の増大を図ることができる。
【０００８】
【発明の実施の形態】
以下、本発明を実施例に基づいて説明する。本発明がかかる実施例のみに限定されるものでないことは言うまでもない。
【０００９】
図１に本発明の魚介類特にはほたて貝採取装置１を示す。丸棒２で構成された前部枠３に、従来技術における爪４の代わりに、海水噴射装置８を配置し、該前部枠３及び海水噴射装置８の後方に袋状網５を連結して構成されている。袋状網５の底面の先端部には略Ｕ字状のチェーン６を配置している。さらに袋状網５の後部には重り棒７を配置している。
【００１０】
図２には海水噴射装置８の断面図を示す。この海水噴射装置８は曳引方向に概略直交した、海水取り入れのための開口部９を有し、後方には海底面１１から適切な距離（例えば３００ｍｍ）離れた位置に、海水を排出するための排出口１０を有している。開口部９の開口面積より排出口１０の開口面積の方が小さい。この場合、従来技術における爪４を併用することも可能である。
海水噴射装置としては、船上に設置された給排水ポンプから導びかれたパイプ先端を排出口１０に付け、又は図３に示すように、海水を水中モーター１３と羽根車１４を用いて海水噴射装置から排出することも可能である。
【００１１】
図４は、図１、２の装置の作用の説明図である。本魚介類採取装置を曳引することによって、海水取り入れのための開口部９に海水が流れ込み、同海水は排出口１０から海底面１１に向かって噴射され、海底面１１の近傍にいるほたて貝１２を舞い上がらせる。そして、舞い上がったほたて貝１２は曳引される袋状網５内に捕捉される。
【００１２】
【発明の効果】
本発明によれば、海水のジェットによって海底付近に生息するほたて貝などの魚介類は、袋状網の底面の先端部全面に滞留することもなく、短時間の内に袋状網の中に捕捉される。さらに海底地形に凹凸があって、袋状網の先端が着底しなくなる場合でも、魚介類が舞い上がって海底面から浮き上がった位置にいるため、確実にこれを捕捉することができる。
【図面の簡単な説明】
【図１】本発明の実施例の斜視図である。
【図２】本発明の要部である海水噴射装置の断面図である。
【図３】本発明の要部である海水噴射装置の別の実施例の断面図である。
【図４】本発明の作用の説明図である。
【図５】従来の魚介類採取装置の斜視図である。
【符号の説明】
１　　　　魚介類採取装置
２　　　　丸棒
３　　　　前部枠
４　　　　爪
５　　　　袋状網
６　　　　チェーン
７　　　　重り棒
８　　　　海水噴射装置
９　　　　海水取り入れのための開口部
１０　　　　海水を排出するための排出口
１１　　　　海底面
１２　　　　ほたて貝
１３　　　　水中モーター
１４　　　　羽根車
【図１】
2004033104.tif 000003
【図２】
2004033104.tif 000004
【図３】
2004033104.tif 000005
【図４】
2004033104.tif 000006
【図５】
2004033104.tif 000007
(57)【要約】【課題】育苗箱で生育された稲の田植えのために育苗箱を剥がす作業は、極めて重労働であり、作業効率も著しく低いものであった。【解決手段】前方へ曲がり、育苗箱の短辺以内の幅のコの字形の刃３を形成する板状金具２を、柄１の下端に取り付け、柄１と刃３の取り付け角度を略９０度とし、金具２の上縁辺に足掛片４を設けて形成し、育苗箱の底面に刃３を差し入れ、足掛片４に片足を掛け、刃先を持ち上げて育苗箱を順次剥がす。【選択図】　図１
2004033179.tif 000002
【特許請求の範囲】
【請求項１】
前方へ曲がり、育苗箱６の短辺以内の幅のコの字形の刃３を形成する板状金具２を、柄１の下端に取り付け、柄１と刃３の取り付け角度を略９０度とし、金具２の上縁辺に足掛片４を設けて形成し、
育苗箱６の底面に刃３を差し入れ、足掛片４に片足を掛け、刃先を持ち上げて育苗箱６を順次剥がす育苗箱の剥がし具。
【発明の詳細な説明】
【０００１】
【発明の属する技術分野】
この発明は、育苗箱で生育された稲の田植えのため、育苗箱を剥がす作業に用いる育苗箱の剥がし具に関するものである。
【０００２】
【従来の技術】
水稲において、育苗箱にまいた種籾をハウス内で温度管理のもと所定の期間育苗した後、この生育した稲の田植えが行われる。一般に、育苗箱は３０ｃｍ×６０ｃｍの矩形扁平形状のものが用いられ、ハウス内に並べて敷設された育苗箱を田植えのために剥がす作業は、作業者による手作業や、ピヤノ線ワイヤで育苗箱底面を通すなどして行われている。
【０００３】
【発明が解決しようとする課題】
こうした作業は、中腰の姿勢で作業しなければならないので腰への負担が大きく、苗が根を張っているため力を要し、極めて重労働であった。また、一面に敷設された育苗箱を、８時間／日作業で４００から５００枚程度剥がすのが限界であり、作業効率も著しく低いものであった。
【０００４】
この発明は、新規な育苗箱の剥がし具を提供してこれらの課題を解決することを目的とするもので、この発明の剥がし具を用いることで育苗箱を簡単に剥がすことができ、作業性の大幅な向上を図ることを目的とするものである。
【０００５】
【課題を解決するための手段】
こうした目的を達成するため、この発明の育苗箱の剥がし具は、図１に示すように構成され、前方へ曲がり、育苗箱６の短辺以内の幅のコの字形の刃３を形成する板状金具２を、柄１の下端に取り付け、柄１と刃３の取り付け角度を略９０度とし、金具２の上縁辺に足掛片４を設けて形成する。そして、この剥がし具を用い、育苗箱６の底面に刃３を差し入れ、足掛片４に片足を掛け、刃先を持ち上げて育苗箱６を順次剥がすものである。
【０００６】
【発明の実施の形態】
以下にこの発明の実施の形態を、図面を用いて具体的に説明する。
図面はこの発明の育苗箱の剥がし具の実施例で、図に示すように、剥がし具は、作業者が手で持つ柄１の下端に、板状金具２をボルト締め等で取り付けられている。この金具２は、その基部で前方へ円弧状に曲がり、育苗箱６の短辺よりやや小さい幅のコの字形の刃３を形成し、柄１と刃３の取り付け角度は略９０度とされている。金具２の上縁辺には、中央の柄１に対して左右一方の辺に足掛片４が形成され、この足掛片４は、剥がし具を立てた状態で略水平となる。なお、足掛片４は、柄１に対して上縁辺の左右両辺に形成してもよい。
【０００７】
図３は、この剥がし具を用いた作業の説明図である。図に示すように、育苗箱６の底面に刃３を差し入れ、足掛片４に片足を掛けて踏み込み、テコの原理で刃先を持ち上げる。金具２がその基部が円弧状に形成されているので、金具２が回動して刃先は簡単に持ち上がり、育苗箱６の手前が持ち上げられて剥がされる。この作業を繰り返して育苗箱６を順次剥がす。なお、育苗箱６の底面に刃３を差し入れ易いように、刃先の板厚が薄く形成されている。
【０００８】
【発明の効果】
この発明の育苗箱の剥がし具は以上のように構成され、足掛片４に片足を掛けて踏み込むことで、育苗箱６を簡単に剥がすことができ、作業性の大幅な向上を図ることができるものである。この剥がし具を用いることで、１時間３０分の作業時間で、従来の１日作業に相当する５００枚の育苗箱６を剥がすことが可能となった。
【０００９】
また、刃３をコの字形として金具３の軽量化が図られ、立ったままの姿勢で、足掛片４に掛けた片足を踏み込むだけの楽な作業で育苗箱６を順次剥がすことができ、作業者の負担を著しく軽減するものである。さらに、この発明の剥がし具は、簡単な構造であるから安価に製作されるなどの効果を奏するものである。
【図面の簡単な説明】
【図１】この発明の実施例の斜視図。
【図２】育苗箱と剥がし具を平面から見た説明図。
【図３】育苗箱を剥がす作業の説明図。
【符号の説明】
１　柄
２　金具
３　刃
４　足掛片
６　育苗箱
【図１】
2004033179.tif 000003
【図２】
2004033179.tif 000004
【図３】
2004033179.tif 000005
(57)【要約】【課題】従来の芝の根切り機に、スプリングと芝押さえ板金を取り付けた芝の根切り機、土が露出せず、早く、楽に、作業をすることが出来る踏み固められた土壌を耕し、酸素を通して芝生の育成を助ける。【解決手段】刃の部分（５）にスプリング（１）を刺し込み、更に、芝押え板金（２）を取り付け、本体（４）とスプリング（１）の接触部分（３）、とスプリング（１）と芝押さえ板金（２）の接触部分（６）を、それぞれ溶接する。以上を特徴とする。【選択図】　　図１
2004033192.tif 000002
【特許請求の範囲】
【請求項１】
芝の根切り機の本体（４）の刃の部分（５）に、スプリング（１）を取り付け、更に、芝押え板金（２）を設けた芝の根切り機。
【発明の詳細な説明】
【０００１】
【発明の属する技術分野】
この発明は、芝生の根を切り、踏み固められた土を耕して、芝生の育成を助ける為の作業を、楽に、きれいに行える芝の根切り機に関するものである。
【０００２】
【従来の技術】
従来の芝の根切り機の刃を土中に差し込んで、引き抜くと、一緒に土が芝の表面に露出したり、土や芝が盛り上がって、仕上がりも悪い、という欠点があった。
芝に刺し込んだ根切り機の刃を、引き抜く作業は、これを、何度も繰り返す為大きな労力を要した。広い面積であれば、なおさら大変であった。
【０００３】
【発明が解決しようとする課題】
これは次のような欠点である。
（イ）根切り機の刃を、芝の表面に、刺し込んで引き抜くと、土が芝の表面に露出してしまい、更に、芝や土が盛り上ってしまい、仕上がりが悪い。
（ロ）踏み固められた土に刺し込んだ刃の引き抜き作業には、労力を要する。
【０００４】
【課題を解決する為の手段】
本体（４）の刃の部分（５）にスプリング（１）を通す。更に、芝押え板金（２）も、ここに通す。その接点（３）と（６）の各部分に、溶接にて接続する。
本発明は、以上の構成よりなる芝の根切り機である。
【０００５】
【発明の実施の形態】
（イ）本体（４）の刃の部分（５）にスプリング（１）を通す。
（ロ）次にスプリング（１）の下部に刃の形に穴を空けた、芝押え板金（２）を通す
（ハ）本体（４）とスプリング（１）、また、スプリング（１）と芝押え板金（２）の各々（３）と（６）の各接触部分を溶接する。
（ニ）刃の部分（５）と芝押え板金（２）は、スプリング（１）の伸縮に伴い上下に作動する。
本発明は、以上の構成よりなる。
本発明を使用する場合、芝や土中に、刃の部分（５）を刺し込み、引き抜く場合は、スプリング（１）の反発力の効果により、引き抜く労力は、少なくて済み、作業が楽。また、その時、スプリングの反発力により芝押え板金（２）が、芝と、その下の土を
押えつけて、引き抜くので芝がもち上がったり、土が芝の表面に露出するのを防げた。何度も繰り返す作業だが、本発明を使用すれば、早く、きれいに、楽に仕上る。
【０００６】
【発明の効果】
本発明を使用するには、両手でハンドルをしっかり握り、足踏み部分に片足を乗せて、体重をかけると土中に刃が刺し込まれる。刃の引き抜きは、スプリングの反発力により楽に引き抜ける。芝を押えながら、引き抜く為、芝や土が盛り上げられたりせず、きれいに仕上る。この連続的な作業には、スプリングの反発力が効果的に働いているので広い面積の芝地でも、作業が楽に、早く、きれいに仕上げられる。
【図面の簡単な説明】
【図１】本発明の斜視図
【図２】本発明の使用状態を示す斜視図
【符号の説明】
（１）　スプリング
（２）　芝押え板金
（３）　本体（４）とスプリング（１）との溶接部
（４）　本体
（５）　刃の部分
（６）　スプリング（１）と芝押え金具（２）との溶接部
【図１】
2004033192.tif 000003
【図２】
2004033192.tif 000004
(57)【要約】【目　的】この発明は、発泡吹付法を設けた保温ハウスであり、発泡樹脂の劣化等を防ぐ塗装または雨水の利用を目的としたパイプハウスの保温構成であり、園芸作物の栽培または貯蔵もしくは保存等を目的としたパイプハウスの保温構成である。また、災害等の仮設ハウスの利用にも適したパイプハウスの保温構成でもある。【構　成】１．発泡樹脂板を設けたパイプハウスに発泡吹付法１を設けた構成。２．パイプハウスに寒冷紗またはメッシュシート等を設けて発泡吹付法１を設けた構成。３．発泡吹付法１を設けたパイプハウスに塗装を設けた構成。４．発泡吹付法１を設けたパイプハウスに雨どいを設けた構成。【選択図】　図１
2004033194.tif 000002
【特許請求の範囲】
【請求項１】
発泡樹脂板を設けたパイプハウスに発泡吹付法１を設けたことを特徴としたパイプハウスの保温構成。
【請求項２】
寒冷紗等を設けたパイプハウスに発泡吹付法１を設けたことを特徴としたパイプハウスの保温構成。
【請求項３】
発泡吹付法１を設けたパイプハウスに塗装を設けたことを特徴としたパイプハウスの保温構成。
【請求項４】
発泡吹付法１のパイプハウスに雨どいを設けたことを特徴としたパイプハウスの保温構成。
【発明の詳細な説明】
【０００１】
【産業上の利用分野】
この発明は、発泡樹脂の吹付法および塗装もしくは雨水利用を設けたパイプハウスの保温構成に関するものである。
【０００２】
【従来の技術】
従来、園芸用のパイプハウスの小屋形状はアーチ形または山形等であり、ハウスの覆いには透明もしくは半透明のビニールシート等を設けたものでり、寒冷地等ではパイプハウスの保温性の向上にはビニールシートを複層に設けたものであった。
また、発泡樹脂板を設けたパイプハウスであった。
【０００３】
【発明が解決しようとする課題点】
ビニールシート等を設けたパイプハウスは保温性に劣り、発泡樹脂板を設けたパイプハウスは継手等による雨漏りに難点があつた。
したがつて、このような難点等を解決するために発泡吹付法を設け、塗装および雨水利用を設けたパイプハウスの保温構成を開発をしようとするものである。
【０００４】
【課題を解決するための手段】
１．発泡樹脂板を設けたパイプハウスに発泡吹付法１を設ける。
２．パイプハウスに設けた寒冷紗等に発泡吹付法１を設ける。
３．発泡吹付法１を設けたパイプハウスに塗装を設ける。
４．発泡吹付法１のパイプハウスに雨どいを設ける。
【０００５】
【作用】
発泡吹付法１を設けて発泡樹脂板の継手等の隙間を塞ぎ、雨漏りを防ぎ、保温性向上のパイプハウスの保温構成である。
パイプハウスに設けた寒冷紗等に発泡吹付法１を設けて容易にできる保温ハウスであり、ハウスの形状を多様化にしたパイプハウスの保温構成である。
発泡吹付法１を設けたパイプハウスに塗装を設けて、発泡樹脂の劣化等を防ぐのであり、発泡樹脂の保護である。
発泡吹付法１のパイプハウスに雨どいを設けて雨水の利用である。
保温効率向上により、冷暖房装置等による低温室・温室・定温室となるパイプハウスの保温構成である。
また、災害等による仮設ハウスの利用にも適したパイプハウスの保温構成でもある。
【０００６】
【実施例１】
請求項１の実施例について説明する。
発泡樹脂板を設けたパイプハウスに発泡吹付法１を設けた構成である。
発泡樹脂板を設けたパイプハウスは継手等に隙間ができ、雨漏りおよび保温性低下等の要因である。
したがって、発泡吹付法１を設けて隙間を塞ぎ、雨漏りおよび保温性の低下を防ぐのである。
発泡樹脂板を設けたパイプハウスに発泡吹付法１を設けて、簡易壁構造のパイプハウスの強化でもあり、パイプハウスの外力を処理するものであるが、地中より設けて処理するものである。
【０００７】
【実施例２】
請求項２の実施例について説明する。
寒冷紗等を設けたパイプハウスに発泡吹付法１を設けた構成である。
パイプハウスに設けた寒冷紗またはメッシュシート等に一定の厚さ、発泡吹付法１を設けたパイプハウスの保温構成である。
風圧力等を考慮し、寒冷紗またはメッシュシート等（発泡吹付法が付着するもの）をパイプハウスに設けて発泡吹付法１を設けるのである。
この構成はパイプハウスの形状を多様化にし、施工を容易にした構成であり、発泡吹付法１による隙間が無く、雨漏りを防ぎ保温性が向上するパイプハウスである。
一定の厚さに発泡吹付法１を設けた発泡樹脂は、簡易壁構造となり、パイプハウスの外力を処理する構造であるが、地中より設けて処理するのである。
発泡吹付法１およびメッシュシート等の半透明化により、太陽光線によるパイプハウス屋内が明るくなるのであり、園芸作物栽培等に適したパイプハウスの保温構成となるのである。
【０００８】
【実施例３】
請求項３の実施例について説明する。
発泡吹付法１に塗装を設けた構成である。
パイプハウスに設けた発泡吹付法１に塗装を設けて発泡樹脂の劣化を防ぐのであり、保護するものである。
発泡吹付法１による発泡樹脂は種類により異なり、耐油／耐溶剤性に優れる種類または紫外線等で劣化する種類がある。
耐油／耐溶剤性に優れる種類では、水性または油性系の塗料および塗装を設けることができるのであるが、紫外線等により劣化する種類では水性系合成樹脂塗料および塗装を設けるのである。
水性系合成樹脂の塗装では、樹脂膜が紫外線等を遮断し、劣化を防ぐ（例えば硬質ウレタンフォーム等の吹付を設けた場合）ものであり、保護するのである。
【０００９】
【実施例４】
請求項４の実施例について説明する。
発泡吹付法１を設けたパイプハウスに雨どいを設けた構成である。
とい受金具をパイプハウスに設け、寒冷紗またはメッシュシート等を設けて発泡吹付法１を設けるのである。
発泡吹付法１の厚さを考慮し、とい受金具とパイプハウスに間隔を設けるのである。
雨どいには雨水が流入しやすくするために発泡吹付法１の厚さを調整して設けるのである。
したがって、雨水をタンクに設けて園芸作物の散水等に設ける雨水の利用である。
【００１０】
パイプハウスの構造強化および外力（風圧力・積雪荷重等）処理、および塗装等については特許出願済であり、関係番号記載により省略する。
１．実用新案登録　第２５２１６３８号・園芸用パイプハウスの保温構造。
２．特許出願番号　平成９年１６１７８２号・園芸用の保温ハウス。
３．特許出願（申請）番号　２００１−１２３６０７号・保温ハウスの構成。
【００１１】
【発明の効果】
装置を用いた低温室または温室もしくは定温室となるパイプハウスの保温構成は保温性に優れ、園芸作物の栽培または貯蔵および保存等に適し、多用途のパイプハウスの保温構成である。
発泡吹付法を設けることにより形状を多様化にし、容易に設ける保温ハウスであり、雨水利用を設けたパイプハウスの保温構成であり、園芸作物の栽培または貯蔵もしくは保存等に利用のパイプハウスの保温構成である。
また、パイプハウスの保温構成は災害等における仮設ハウスの利用にも適したパイプハウスの保温構成である。
【図面の簡単な説明】
【図１】本発明の斜視図
【符号の説明】
１　　　発泡吹付法
【図１】
2004033194.tif 000003
(57)【要約】【課題】化学薬品に頼らない軟体動物の防除【解決手段】餌をおいた閉鎖状電極に断続的な電圧を付加し、電極内に誘引された軟体動物を集中的に殺滅もしくは捕獲する方法、装置を提供する。【特許請求の範囲】
【請求項１】
摂食誘因物質を配置した局部に交流、もしくは直流の電圧を断続的に付加して軟体動物を防除する方法。
【請求項２】
請求項１において電圧を付加する端子を閉鎖状にして用いる防除装置。
【発明の詳細な説明】
【０００１】
【発明の属する技術分野】
本発明は、農業、もしくは園芸において栽培する作物に対して食害を及ぼす軟体動物を効率的に防除する技術に関する。
【０００２】
【従来の技術】
ウスカワマイマイ、ナメクジ、コウラナメクジなどの陸棲の軟体動物による農作物や花卉の葉、花、幼果、新根等への食害は商品価値を減少させ大きな問題となっている。また、近年海外より侵入したスクミリンゴガイは移植直後の苗や直播水稲の芽だし苗を食害して我が国の西南暖地を中心に問題となっている。これらの陸棲軟体動物の防除には、メタアルデヒド剤が広く使われている。また一部にＸＭＣ剤も使われている。スクミリンゴガイの防除は、メタアルデヒド剤、石灰窒素、ＩＢＰ剤等が検討されているが十分な効果を上げるまでには至っていない。
【０００３】
【発明が解決しようとする課題】
軟体動物の防除には、殺傷能とともに誘因性を有し、また急性毒性も低いメタアルデヒド剤が最も広く利用されている。しかし、その効果は環境や生物種に左右され、湿潤な状態や一部のナメクジには効果が劣る。また、ペットなどが大量に摂食した場合、本質的な解毒方法が未だに見いだされていないため致死に至る０から３０Ｖであった。例えば、５０Ｖを付加した場合、ダンゴムシなどは一部死滅する個体が出現し、必ずしも好ましい結果ではない。付加する電圧によってはこれらの軟体動物を完全に殺滅することが出来ない場合もあったが、運動を停止し、限定された場所に集められていることから、容易に排除することは可能である。
【０００８】
電圧を付加する面積は、対象とする軟体動物の大きさ生息範囲にもよるが数十ｃｍ２から数千ｃｍ２である。断続的な通電間隔は、軟体動物の種、その運動速度、索餌時間、配置する餌の量、生息する個体数、生息環境によって変わるが数分から数時間以内である。また通電時間と遮断時間の間隔を同一にせず適宜変更してより効率的な設定も可能である。使用する電流は交流であっても直流であっても良いが交流の方が扱いやすい。
【０００９】
更に、電極の形状、配置が殺滅、捕獲には重要であることが明らかになった。例えば二つの電極を直線上に配置した場合、電極間の中心で且つ通電方向に直交する方向へは容易に脱出した。従って二つの電極は、閉鎖状態に配置させることが不可欠である。
【００１０】
軟体動物を誘引する餌としては各種の野菜や果物を用いることができる。特にキャベツや白菜等のアブラナ科植物の葉は殆どの軟体動物にとって好適である。また誘引を促すため誘引物質を含む酒粕などを併用することもできる。
【００１１】
【発明の実施の形態】
発明の実施の形態を生物効果試験例に基づき説明する。
【００１２】
（試験例１）
電圧の違いによる感受性試験
幅１５ｍｍ、長さ１００ｍｍの銅板２枚をそれぞれ半円形に曲げ、各々の銅板の接点２カ所に厚さ２ｍｍのプラスチック板を挟んで絶縁し、環状の電極を作成した。直径約１２ｃｍ、深さ約２．５ｃｍのプラスチックトレーに前記の電極上部が現れる程度の土壌を詰め軽く散水した。チャコウラナメクジ５匹を環状の電極内に放して、可変トランスを用いて各段階の電圧を電極に付加し、その状態を観察した。その結果を表１に示す。
【００１３】
【表１】
2004033197.tif 000002
【００１４】
（試験例２）
ウスカワマイマイの感受性試験
試験例１と同じ装置にウスカワマイマイ５匹を放して、２５Ｖの電圧を付加して１５分後、３時間後の状態を観察した。その結果、１５分後全ての個体は頭を伸縮させてその場に留まっていた。３時間後は、殻内に閉じこもった状態であった。この個体を電圧の付加されていない湿潤な環境に３時間おいて給餌した結果、全ての個体が通常の摂食行動をとった。
【００１５】
（試験例３）
直流の軟体動物への影響試験
試験例１と同じ装置にチャコウラナメクジ５匹を放して、１２Ｖの直流を付加して１５分後、３時間後の状態を観察した。その結果、２頭は１５分以内に脱出し、電極に接触した３個体は３時間後に死亡していた。
【００１６】
（試験例４）
自然環境下での試験１
幅１５ｍｍ、長さ１５０ｍｍの銅板２枚をそれぞれ半円形に曲げ、各々の銅板の接点２カ所に厚さ約２ｍｍのプラスチック板を挟んで絶縁した直径約１０ｃｍの環状電極を作成した。直径約１５ｃｍ、深さ約３ｃｍのプラスチックトレーに前記の電極上部が現れる程度の土壌を詰めた。環状の電極内に茹でてみじん切りしたキャベツの葉と魚肉を混ぜたもの２０ｇを土壌表面に平らに置き、落葉のある庭にトレーの最上部が土壌表面になるように埋設した。２５Ｖの電圧を電極に付加し、タイマーを下記間隔にオフ、オンの断続設定して環状電極内に閉じこめられたチャコウラナメクジの数を経時的に観察した。試験は設定時間毎に実施し、設置したトレーは少なくとも１．５ｍ以上離した。試験は午後６時に開始、経時的に観察して翌日午前７時に生存個体数を含めて調査した。その結果を表２に示す。
【００１７】
【表２】
2004033197.tif 000003
【００１８】
（試験例５）
自然環境下での試験２
試験例３と同様に環状電極内に餌を置いたプラスチックトレーを落葉のある庭に設置し、５０Ｖの電圧を電極に付加して、タイマーを６０分間隔にオフ、オンの断続設定して環状電極内に閉じこめられたチャコウラナメクジ及びダンゴムシの数を試験例４と同様に経時的に観察した。その結果を表３に示す。
【００１９】
【表３】
2004033197.tif 000004
【００２０】
以上のように、閉鎖状の電極内に軟体動物の餌を置き、人間等が感電しない低電圧を付加することにより集中的に軟体動物を誘引し、殺滅、もしくは捕獲することができる。
【００２１】
【発明の効果】
化学薬品を使用しないで、安全かつ選択的に有害軟体動物を防除する。
(57)【要約】【課題】バナナの実には、健康を維持するのに必要な物が含まれていて、その必要量は１日２５０ｇと言われているが、これを毎日食べるには量が多過ぎ、水分を除いて、粉末として食べているが、糖分が多く、この糖分を大幅に減らす必要があった。【解決手段】バナナを加熱して糖分を炭化し、この炭化物を水に浸して後、この液を濾過して不溶性物質を除去して後、この濾液を加熱・濃縮してエキスとした。【特許請求の範囲】
【請求項１】
バナナの実を加熱して、水分を蒸発して、更に加熱して、目に見える煙が発生しなくなるまで加熱し、炭化物を作り、この炭化物を水に浸して後、濾過し、この濾液を加熱・濃縮して、バナナの実のエキスを作るバナナの実の加工方法。
【請求項２】
バナナの実を酵素で発酵して後、濾過し、この濾液を加熱して、水分を蒸発し、バナナの実のエキスを作る、バナナの実の加工方法。
【発明の詳細な説明】
【０００１】
【発明の属する技術分野】
この発明は、健康増進するために食料とするバナナの実の加工法に関する。
【０００２】
【従来の技術】
バナナの実には、健康を維持するのに必要な物が含まれていて、その必要量は１日２５０ｇと言われているが、これを毎日食べるには量が多過ぎ、水分を除いて、粉末として食べている。
【０００３】
【発明が解決しようとする課題】
上記の様にバナナは、粉末として食べているが、糖分が多く、この糖分を、大幅に減らす必要があった。
【０００４】
【課題を解決する手段】
バナナを加熱して糖分を炭化し、この炭化物を水に浸して後、この液を濾過して不溶性物質を除去して後、この濾液を加熱・濃縮してエキスとした。
【０００５】
【発明の実施の形態】
バナナの皮に、シュガースポットが現れたバナナの実１０００ｇに水２００ｇを加えて粉砕した後、鍋に入れて、加熱し、水分の蒸発後、更に加熱を続けて、目に見える煙が、出終わった時、加熱を止め、この炭化物を粉砕して、水３０００ｇに浸し、１２時間後、濾過し、この濾液を加熱して、１００ｇのエキスができ、このエキス１０ｇを１回分として食した。
【０００６】
【発明の効果】
バナナのエキスを食べ終わった瞬間に、前立腺炎の痛みが消えた。
【０００７】
バナナのエキスを食べた後、長時間唾液が、甘く感じる。
【０００８】
目の力が強くなる。
【０００９】
夜間に排尿感が無くなる。
【００１０】
熟睡できるようになる。
【００１１】
体が冷えなくなる。
【００１２】
胃腸の調子が良くなる。
(57)【要約】【課題】日持ちのする、安全で安価なおいしい豆腐を、提供する。【解決手段】殺菌した物質を豆腐とパックの隙間に入れて、蓋で密封したり、殺菌した豆腐をパックに入れて、隙間の空気を抜いて蓋で密封したりして、封緘する。【選択図】なし【特許請求の範囲】
【請求項１】
殺菌した物質を、豆腐を詰めたパックに入れ、蓋で密封する、パックの封緘方法。
【請求項２】
殺菌した豆腐を詰めたパックから、空気を抜いて、蓋で密封する、パックの封緘方法。
【発明の詳細な説明】
【０００１】
【発明の属する技術分野】
本願発明は、豆腐を詰めたパックの、封緘方法に関するものである。
【０００２】
【従来の技術】
７５度〜８５度の豆乳に凝固剤を入れ、温度を維持しながら１０分間凝固させ、凝固した豆腐を切断し、水槽に入れ、冷却する。４０度〜６０度で水槽から取り出しパックに詰め、常温の井戸水や水道水を加水し、豆腐とパックの隙間を埋め、空気を入れないようにして蓋で密封し、さらに、製造工程で付着した細菌を殺菌するため、８０度で４０分ボイル殺菌し、４０分冷却して製造していた。
【０００３】
【発明が解決しようとする課題】
一度仕上がった豆腐を殺菌のために再度凝固時の温度に上げ、冷却するため、中の豆腐は湯豆腐を冷却したものとなり、味が劣化する。さらに、再度温度を上げ下げするため、コストアップとなるし、細菌が繁殖する危険温度帯５度から６０度に留まる時間が長くなり菌が増殖する。
【０００４】
【課題を解決するための手段】
菌の付着部分は、豆腐の表面、パックの内面、ふたの内面、空気や加水した水であり、しかも豆腐はすでに加熱殺菌され、凝固しているので、豆腐の内部は加熱殺菌済みであることに着目し、本願発明は、菌が付着しても死滅する温度の、殺菌した液体を、豆腐の入ったパックに入れ、空気は熱伝導が遅いので、可能な限り空気を入れないようにして蓋で密封し、熱伝導後、細菌が繁殖する危険温度帯５度から６０度に留まる時間を短くするため、速やかに冷却するようにした。熱伝導時間は、豆腐の温度や大小、外気温で異なるが、出来るだけ短時間で熱伝導するように、豆腐の温度や、液体の温度を調整する。長くても５分程度が望ましい。長すぎると、従来の技術のように細菌が繁殖する危険温度帯に入り、菌が繁殖する。
【０００５】
第２の解決手段は、菌が付着しても死滅する温度の殺菌した豆腐を詰めたパックから、空気を抜き、蓋で密封し、熱伝導後、速やかに冷却するようにした。
【０００６】
第一の解決手段による作用は次のようになる。菌が付着しても死滅する温度の殺菌した液体を、豆腐の入ったパックに入れ、蓋で密封するので、豆腐の表面、パックの内面、空気や蓋の内面に付着した菌は、死滅する。然も、豆腐の内部は加熱殺菌済みである。
【０００７】
第二の解決手段による作用は次のようになる。パックの内面や蓋の内面に付着した菌は、菌が付着しても死滅する温度の殺菌した豆腐の熱伝導で、死滅する。
【０００８】
【発明の実施の形態】
豆腐の入ったパックに、温度７５度以上の殺菌した水を加水し、蓋で密封し、熱伝導後、速やかに冷却する。
【０００９】
豆腐の入ったパックに、温度７５度以上の殺菌した、味をつけた液体を入れ、蓋で密封し、熱伝導後、速やかに冷却する。
【００１０】
豆腐の入ったパックに、温度７５度以上の殺菌したマーボ豆腐の素を入れ、次に殺菌したマーボ豆腐の垂れを入れ、蓋で密封し、熱伝導後速やかに冷却する。
【００１１】
殺菌した豆腐を、無菌室で殺菌したパックに詰め、殺菌した水を入れ、殺菌した蓋で密封し、冷却する。
【００１２】
殺菌した豆腐を、無菌室で殺菌したパックに詰め、殺菌した味をつけた液体を入れ、殺菌した蓋で密封し、冷却する。
【００１３】
殺菌した豆腐を、無菌室で殺菌したパックに詰め、殺菌したマーボ豆腐の素を入れ、殺菌した蓋で密封し、冷却する。
【００１４】
殺菌した豆腐を、無菌室で殺菌したパックに詰め、殺菌した蓋で密封し、冷却する。
【００１５】
殺菌した豆腐を、無菌室で殺菌したパックに詰め、脱酸素剤を入れ、殺菌した蓋で密封し、冷却する。
【００１６】
殺菌した豆腐を、無菌室で殺菌したパックに詰め、殺菌した窒素ガスとパックの中の空気を置換して、殺菌した蓋で密封し、冷却する。
【００１７】
殺菌した豆腐を、無菌室で殺菌したパックに詰め、パックの中の空気を抜いて、殺菌した蓋で密封し、冷却する。
【００１８】
殺菌した豆腐を、殺菌したパックに詰め、パックの中の空気を抜いて、殺菌した蓋で密封し、冷却する。
【００１９】
殺菌した豆腐は、芽胞菌などの耐熱性細菌も殺菌した豆腐であれば、密封したパックは冷却しなくても良い。
【００２０】
【発明の効果】
本願発明により、日持ちのする、コストの安い、おいしい豆腐を製造できる。
【手続補正書】
【提出日】平成15年2月14日(2003.2.14)
【手続補正１】
【補正対象書類名】明細書
【補正対象項目名】特許請求の範囲
【補正方法】変更
【補正の内容】
【特許請求の範囲】
【請求項１】
殺菌した物質を、豆腐を詰めたパックに入れ、蓋で密封する、パックの封緘方法。
【請求項２】
殺菌した豆腐を詰めたパックから、空気を抜いて、蓋で密封する、パックの封緘方法。
【請求項３】
菌が死滅する温度の豆腐を詰めたパックを、蓋で密封する、パックの封緘方法。
(57)【要約】　　　（修正有）【課題】小規模農家では手作業で収穫していた玉葱を、安価で楽に収穫できる機械を提供する。【解決手段】刃先の部分で玉葱の根を切って浮かしてしまうので拾い集めるのが楽なことを特徴とする。【選択図】図３
2004033200.tif 000002
【特許請求の範囲】
【請求項１】
歩行型テーラーに簡単にピン１本で脱着できる玉葱掘り取り機
【発明の詳細な説明】
日本の玉葱栽培農家は、北海道地区を除き、小規模な栽培農家が殆どである。
大規模の農家では１台数百万円もする乗用型の玉葱収穫機を使用しているが、我が家のような栽培面積の少ない農家では、購入しても採算が取れないのが実状である。
そこで１台１０万円以下で製作でき、簡単に玉葱を収穫することができる機械を作成してみた。この機械の特徴は、我が国の殆どの農家が所有している、６馬力程度の小さな歩行型耕運機にピン１本で脱着できることである。これにより、現在手作業にて玉葱を抜き取り、収穫している農家の殆どが数万円程度の出費で機械を購入・使用することができる。この機械では玉葱の根の部分を切り取り浮かすことにより、手作業での抜き取り作業に比べ、簡単に素早く玉葱を収穫することが可能となる。また、今まで我が家で行ってきたようなコンニャク掘り取り機を使用した方法に比べ、玉葱がコンベアの上を転がっていかないので傷がつくようなことも無い。まだ、刃先の部分など改良しなければならない点もある試作段階の機械ではあるが、試験掘りでは玉葱を傷つけることなく、スムーズに掘り起こすことができた。よって、特許を申請してみた次第である。
【図面の簡単な説明】
【図１】本発明の正面図である
【図２】本発明の側面図である
【図３】本発明の上面図である
【符号の説明】
１は深耕調節棒
２は刃先角度調節ネジ
３は刃先
【図１】
2004033200.tif 000003
【図２】
2004033200.tif 000004
【図３】
2004033200.tif 000005